(57)【要約】      （修正有）【課題】表示器の温度上昇を抑制できる表示装置を提供する。【解決手段】表示器１０１は、画像を表示する。可撓性配線板２０は、金属からなる基板を有し、熱伝導性接着剤によって表示器１０１の後面に当接されると共に、表示器１０１の側方にも延設される。発光素子は、可撓性配線板２０に搭載される。表示板４０は、発光素子によって照明される。指針１０は、表示板４０を指示する。駆動部２２は、可撓性配線板２０に接続され指針１０を回動させる。【選択図】図５
2017133979.tif 000002
【特許請求の範囲】
【請求項１】
画像を表示する表示器と、金属からなる基板を有し前記表示器の後面に当接する可撓性配線板と、前記可撓性配線板に搭載された発光素子と、前記発光素子によって照明される表示部を有する表示部材と、を備えたことを特徴とする表示装置。
【請求項２】
画像を表示する表示器と、金属からなる基板を有し前記表示器の後面に当接する可撓性配線板と、前記可撓性配線板に搭載された発光素子と、前記発光素子によって照明される表示板と、前記表示板を指示する指針と、前記可撓性配線板に接続され前記指針を回動させる駆動部と、を備えたことを特徴とする表示装置。
【発明の詳細な説明】
【技術分野】
【０００１】
本発明は、画像を表示する表示器を備えた表示装置に関するものである。
【背景技術】
【０００２】
従来より、表示器をハウジングに収容した表示装置が種々提案されており、例えば特許文献１に開示されている。特許文献１に記載された表示装置は、画像を表示する液晶表示器をハウジングに収容したものであり、透光性保護カバーに設けられた窓部から、液晶表示器に表示された画像を視認するものである。
【先行技術文献】
【特許文献】
【０００３】
【特許文献１】特開２０１５−９９２８５号公報
【発明の概要】
【発明が解決しようとする課題】
【０００４】
しかしながら、車両用表示装置の周囲の温度（気温）が高い状態で、液晶表示器を長時間駆動させたとき、液晶表示器の温度が過度に上昇するという問題を有していた。液晶表示器が過熱した場合は、液晶表示器が誤動作する虞があるため、液晶表示器の温度上昇を抑制できる表示装置が望まれている。
本発明は、この問題に鑑みなされたものであり、表示器の温度上昇を抑制できる表示装置を提供するものである。
【課題を解決するための手段】
【０００５】
本発明は、画像を表示する表示器１，１０１と、金属からなる基板６ｂ，２０ｂを有し前記表示器１，１０１の後面に当接する可撓性配線板６，２０と、前記可撓性配線板６，２０に搭載された発光素子６ａ，２４と、前記発光素子６ａ，２４によって照明される表示部２ｃ，４１を有する表示部材２，４０と、を備えたものである。
【０００６】
また、本発明は、画像を表示する表示器１０１と、金属からなる基板２０ｂを有し前記表示器１０１の後面に当接する可撓性配線板２０と、前記可撓性配線板２０に搭載された発光素子２４と、前記発光素子２４によって照明される表示板４０と、前記表示板４０を指示する指針１０と、前記可撓性配線板２０に接続され前記指針１０を回動させる駆動部２２と、を備えたものである。
【発明の効果】
【０００７】
表示器で生じた熱を可撓性配線板の基板にて放散させることができ、表示器の温度上昇を抑制することができる。
【図面の簡単な説明】
【０００８】
【図１】本発明の第一実施形態を示す断面図。
【図２】同上実施形態を示す正面図。
【図３】同上実施形態を示す要部拡大断面図。
【図４】同上実施形態を示す要部拡大断面図。
【図５】本発明の第二実施形態を示す断面図。
【図６】同上実施形態を示す要部正面図。
【図７】同上実施形態を示す断面図。
【図８】同上実施形態を示す要部拡大断面図。
【発明を実施するための形態】
【０００９】
以下、添付図面に基づいて、本発明の一実施形態を説明する。図１乃至図４は、第一実施形態を示すものである。車両用表示装置は、液晶表示器１，保護カバー２，ハウジング３，回路基板４，見返し部５，可撓性配線板６を備えている。
【００１０】
液晶表示器１は、ＴＦＴ型フルカラーＬＣＤパネル１ａ及びバックライトモジュール（図示しない）をケース体１ｂに収納したものであり、略平板形状になっている。液晶表示器１の画面には、車両速度，ナビゲーション情報等の車両情報が画像で表示される。液晶表示器１のケース体１ｂは、支持部１ｃを有しており、この支持部１ｃにて液晶表示器１が回路基板４の前面に固定されている。
【００１１】
保護カバー２は、アクリルやポリカーボネート等の透光性樹脂からなる基材２ａの後面に黒色印刷層からなる遮光部２ｂを形成したものである。保護カバー２は、全体が略均一な厚さを有する湾曲形状になっており、車両用表示装置を視認する者から見て凹形状（液晶表示器１に向かって凸形状）になっている。
【００１２】
保護カバー２の遮光部２ｂは、液晶表示器１の画面を透視可能にする窓部２ｄを有している。保護カバー２は、遮光部２ｂの開口からなる複数の警告表示部２ｃを有している。保護カバー２の警告表示部２ｃは、後述する発光素子６ａによって透過照明される。保護カバー２の基材２ａの前面及び後面には、反射防止コーティング等の反射防止処理がされていることが望ましい。
【００１３】
ハウジング３は、ＡＥＳ等の樹脂からなるものであり、底壁部３ａ及び周壁部３ｂを有している。ハウジング３には、液晶表示器１，回路基板４，見返し部５，可撓性配線板６が収納されている。ハウジング３の底壁部３ａには、前方に突出する突出部３ｆが形成されており、この突出部３ｆに回路基板４が支持されている。また、ハウジング３の底壁部３ａには、前方に突出する突出部３ｃが形成されている。ハウジング３の突出部３ｃには、略円柱状の突起３ｄが形成されており、この突起３ｄに可撓性配線板６が位置決めされている。ハウジング３の周壁部３ｂの前面には保護カバー２が固定されている。
【００１４】
回路基板４は、ガラスエポキシ樹脂からなる基材に銅箔からなる配線パターンを形成したものであり、ハウジング３に収納されている。回路基板４は、図示しない配線部材によって液晶表示器１に接続されている。回路基板４の前面には、液晶表示器１を駆動するマイコン等が搭載されている。
【００１５】
見返し部５は、液晶表示器１の画面以外の領域を隠蔽する。見返し部５は、液晶表示器１の画面を囲う筒状になっており、見返し部５の前端部５ａは、保護カバー２の後面に当接し、見返し部５の後端部５ｂは、液晶表示器１の前面に当接している。
【００１６】
可撓性配線板６は、基板６ｂ，絶縁層６ｃ，導電部６ｄ，オーバーコート６ｅを有している。可撓性配線板６の基板６ｂは、アルミニウムからなるものであり、可撓性を有している。可撓性配線板６の絶縁層６ｃはポリイミドからなるものであり、図示しない熱伝導性接着剤により基板６ｂに密着されている。導電部６ｄは銅箔からなる配線パターンであり、絶縁層６ｃ上に形成されている。オーバーコート６ｅは、導電層６ｃを覆っている。
【００１７】
可撓性配線板６には、支持部１ｃが貫通する孔部６ｈが形成されている。可撓性配線板６は、熱伝導性接着剤によって液晶表示器１の後面に密着されると共に、液晶表示器１の側方にも延設されており、この延設された部分は突出部３ｃを覆う湾曲形状になっている。可撓性配線板６には発光素子６ａが搭載されており、この発光素子６ａによって警告表示部２ｃを後方から照明する。発光素子６ａは、突起３ｄの近傍に配置されると共に、突出部３ｃに間接的に支持されている。
【００１８】
図５乃至図８は、第二実施形態を示すものである。車両用表示装置は、液晶表示器１０１，保護カバー１０２，ハウジング１０３，回路基板１０４，指針式計器１０７を備えている。
【００１９】
液晶表示器１０１は、ＴＦＴ型フルカラーＬＣＤパネル１０１ａ及びバックライトモジュール（図示しない）をケース体１０１ｂに収納したものであり、略平板形状になっている。液晶表示器１０１のケース体１０１ｂは、支持部１０１ｃを有しており、この支持部１０１ｃにて液晶表示器１０１が回路基板１０４の前面に固定されている。
【００２０】
保護カバー１０２は、アクリルやポリカーボネート等の透光性樹脂からなるものである。保護カバー１０２は、全体が略均一な厚さを有する湾曲形状になっており、車両用表示装置を視認する者から見て凹形状（液晶表示器１０１に向かって凸形状）になっている。
【００２１】
ハウジング１０３は、ＡＥＳ等の樹脂からなるものであり、底壁部１０３ａ及び周壁部３ｂを有している。ハウジング１０３には、液晶表示器１０１，回路基板１０４，指針式計器１０７が収納されている。ハウジング１０３の底壁部１０３ａには、前方に突出する突出部１０３ｆが形成されており、この突出部１０３ｆに回路基板１０４が支持されている。ハウジング１０３の周壁部１０３ｂの前面には保護カバー１０２が固定されている。
【００２２】
回路基板１０４は、ガラスエポキシ樹脂からなる基材に銅箔からなる配線パターンを形成したものであり、ハウジング１０３に収納されている。回路基板１０４は、図示しない配線部材によって液晶表示器１に接続されている。回路基板１０４の前面には、液晶表示器１０１を駆動するマイコン等が搭載されている。
【００２３】
指針式計器１０７は、指針１０と、可撓性配線板２０と、ケース体３０と、表示板４０と、を備えている。第二実施形態では、２個の指針式計器１０７が液晶表示器１０１の左右両側に配設されている。
【００２４】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１を指示部１１にて指示する。指針１０のボス部１３及び指針座１４は、黒色樹脂にて一体形成されている。
【００２５】
可撓性配線板２０には、支持部１０１ｃが貫通する孔部２０ｈが形成されている。可撓性配線板２０は、熱伝導性接着剤によって液晶表示器１０の後面に密着されると共に、液晶表示器１０１の側方にも延設されており、この延設された部分は指針式計器１０７の配線部材になっている。可撓性配線板２０は、基板２０ｂ，絶縁層２０ｃ，導電部２０ｄ，オーバーコート２０ｅを有している。可撓性配線板２０の基板２０ｂは、アルミニウムからなるものであり、可撓性を有している。可撓性配線板２０の絶縁層２０ｃはポリイミドからなるものであり、図示しない熱伝導性接着剤により基板２０ｂに密着されている。導電部２０ｄは銅箔からなるものであり、絶縁層２０ｃ上に形成されている。オーバーコート２０ｅは、導電層２０ｃを覆っている。
【００２６】
可撓性配線板２０には、指針駆動部２２，発光素子２４，２５が実装されている。指針駆動部２２は、可動磁石式駆動装置，ステッピングモータ等からなるものである。指針駆動部２２の回動軸２２ａには、指針１０が取り付けられる。指針１０のボス部１３は、表示板４０に形成された貫通孔４０ｃに挿入される。表示板４０の貫通孔４０ｃは、指針駆動部２２の回動軸２２ａに対応する個所に形成されており、表示板４０を貫通している。発光素子２４，２５は、夫々、１個以上の発光ダイオード等によって構成される。発光素子２４は、表示板４０を透過照明する。発光素子２５は、指針１０の指示部１１を光輝させる。
【００２７】
ケース体３０は白色の合成樹脂（例えば、ポリプロピレン）からなり、このケース体３０に可撓性配線板２０が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が可撓性配線板２０の前面に当接している。ケース体３０の垂直部３１は、発光素子２４が発する照明光と、発光素子２５が発する照明光とが混合されることを防ぐ遮光壁になっている。
【００２８】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。
【００２９】
ケース体３０の垂直部３５は、円筒形状になっており、後端が可撓性配線板２０の前面に当接している。ケース体３０の垂直部３５は、傾斜部３４の外周端に連なっている。ケース体３０の垂直部３５は、前端が表示板４０の後面に当接し、後端が可撓性配線板２０の前面に当接している。
【００３０】
表示板４０は、透光性シートからなる基材の前面に印刷層を形成したものであり、指針１０に指示される指標部４１を有している。表示板４０の指標部４１は、貫通孔４０ｃを中心とした円弧状に配置されている。表示板４０の指標部４１は、発光素子２４が発した照明光によって透過照明される。
【００３１】
第一，第二実施形態は、画像を表示する液晶表示器１，１０１と、金属からなる基板６ｂ，２０ｂを有し液晶表示器１，１０１の後面に当接する可撓性配線板６，２０と、可撓性配線板６，２０に搭載された発光素子６ａ，２４と、発光素子６ａ，２４によって照明される表示部（警告表示部２ｃ，指標部４１）を有する表示部材（保護カバー２，表示板４０）と、を備えたものであり、液晶表示器１，１０１で生じた熱を可撓性配線板６，２０の基板６ｂ，２０ｂにて放散させることができ、液晶表示器１，１０１の温度上昇を抑制することができる。且つ、可撓性配線板６，２０は、ヒートシンクのような放熱専用の部材ではなく、発光素子６ａ，２４の配線部材であるため、部品数が増加することがないため、車両用表示装置を安価に提供できる。
【００３２】
なお、本発明は、第一，第二実施形態に限定されるものではなく、種々の変形が可能であり、例えば、第一，第二実施形態の表示器は液晶表示器１，１０１であったが、表示器は蛍光表示管（ＶＦＤ）であっても良い。
【符号の説明】
【００３３】
１    液晶表示器（表示器）
２    保護カバー（表示部材）
２ｃ  警告表示部（表示部）
３    ハウジング
５    見返し部
６    可撓性配線板
６ａ  発光素子
６ｂ  基板
１０    指針
２０    可撓性配線板
２０ｂ  基板
２２    指針駆動部（駆動部）
２４    発光素子
４０    表示板（表示部材）
４１    指標部（表示部）
１０１    液晶表示器（表示器）
【図１】
2017133979.tif 000003
【図２】
2017133979.tif 000004
【図３】
2017133979.tif 000005
【図４】
2017133979.tif 000006
【図５】
2017133979.tif 000007
【図６】
2017133979.tif 000008
【図７】
2017133979.tif 000009
【図８】
2017133979.tif 000010